(57)【要約】【課題】屋根合板面の結露を無くして屋根の耐久性を向上させるとともに、屋根面に生じる雨音等を遮断して室内に伝わるのを抑制することができるソーラーシステム家屋の屋根構造を提供する。【解決手段】屋根面に沿って形成された空気流路１に取り入れた外気を太陽光により加熱し、加熱された空気を室内の暖房、給湯などに使用するソーラーシステム家屋の屋根構造である。空気流路１は、上面が金属製屋根板２でかつ下面が屋根合板３で構成される。金属製屋根板２の下面の少なくとも一部には制振シート４が貼着される。屋根合板３の上面には透湿性シート５が貼着される。制振シート４は、熱可塑性樹脂およびゴムまたは熱可塑性エラストマーに無機粉体を配合した樹脂組成物よりなる。透湿性シート５は、ポリエチレン系繊維シートからなる。【選択図】        図１
2004332952.tif 000002
【特許請求の範囲】
【請求項１】
屋根面に沿って形成された空気流路に取り入れた外気を太陽光により加熱し、加熱された空気を室内の暖房、給湯などに使用するソーラーシステム家屋の屋根構造において、
屋根面に沿って形成された空気流路は、上面が金属製屋根板でかつ下面が屋根合板で構成されており、
前記金属製屋根板の下面の少なくとも一部には制振シートが貼着されており、
前記屋根合板の上面には透湿性シートが貼着されている
ことを特徴とするソーラーシステム家屋の屋根構造。
【請求項２】
制振シートは、熱可塑性樹脂およびゴムまたは熱可塑性エラストマーに無機粉体を配合した樹脂組成物よりなることを特徴とする請求項１記載のソーラーシステム家屋の屋根構造。
【請求項３】
透湿性シートは、ポリオレフィン系繊維シートからなることを特徴とする請求項１または２記載のソーラーシステム家屋の屋根構造。
【発明の詳細な説明】
【０００１】
【発明の属する技術分野】
本発明は、屋根面に沿って形成された空気流路に取り入れた外気を太陽光により加熱し、加熱された空気を室内の暖房、給湯などに使用するソーラーシステム家屋の屋根構造に関するものである。
【０００２】
【従来の技術】
従来のソーラーシステム家屋の屋根構造は、図４に示すように、屋根面に沿って上面を金属製屋根板ａでかつ下面を屋根合板ｂで構成した空気流路ｃを形成し、屋根合板ｂの上面が断熱層ｄとなっており、空気流路ｃに取り入れた外気を太陽光により加熱し、加熱空気を床下等に導いて室内暖房に使用しているものである（特公平６−７０５２６号公報参照）。なお、ｅはルーフイングである。
【０００３】
ところで、上記のような従来のソーラーシステム家屋の屋根構造にあっては、屋根合板の上面が断熱層となっているものの、空気流路に取り込まれる外気の温度が低下したり、屋根合板に接する空気の温度が下がった状態になると、屋根合板面に結露が生じるので、これが長期的にみて屋根の耐久性が大きく損なわれる原因となることが指摘されていた。
【０００４】
そこで、本発明は、屋根面に沿って形成される空気流路の下面をなす屋根合板の上面に透湿性シートを貼着することによって屋根合板面の結露を無くし、屋根の耐久性を向上させるとともに、空気流路の上面をなす金属製屋根板の下面に振動の伝播を抑制する制振シートを貼着することによって屋根面に生じる雨音等を遮断して室内に伝わるのを抑制することができるソーラーシステム家屋の屋根構造を提供することを目的とするものである。
【０００５】
【課題を解決するための手段】
上記目的を達成するための本発明の請求項１に係るソーラーシステム家屋の屋根構造は、屋根面に沿って形成された空気流路に取り入れた外気を太陽光により加熱し、加熱された空気を室内の暖房、給湯などに使用するソーラーシステム家屋の屋根構造において、屋根面に沿って形成された空気流路は、上面が金属製屋根板でかつ下面が屋根合板で構成されており、前記金属製屋根板の下面の少なくとも一部には制振シートが貼着されており、前記屋根合板の上面には透湿性シートが貼着されていることを特徴とするものである。
【０００６】
また、本発明の請求項２に係るソーラーシステム家屋の屋根構造は、請求項１の構成において、制振シートは、熱可塑性樹脂およびゴムまたは熱可塑性エラストマーに無機粉体を配合した樹脂組成物よりなることを特徴とするものである。
【０００７】
さらに、本発明の請求項３に係るソーラーシステム家屋の屋根構造は、請求項１または２の構成において、透湿性シートは、ポリオレフィン系繊維シートからなることを特徴とするものである。
【０００８】
【発明の実施の形態】
図１は本発明の一実施の形態に係るソーラーシステム家屋の屋根構造を示す要部断面図、図２はソーラーシステム家屋の屋根構造の概要を示す断面図、図３は本発明の他の実施の形態に係るソーラーシステム家屋の屋根構造を示す要部断面図である。
【０００９】
本発明の一実施の形態に係るソーラーシステム家屋の屋根構造は、図２に示すように、屋根面に沿って形成される空気流路１に取り入れた外気を太陽光により加熱し、加熱された空気を床下に導いて室内の暖房に使用したり、給湯などに使用するものである。
【００１０】
屋根面に沿って形成される空気流路１は、図１に示すように、その上面が金属製屋根板２、下面が屋根合板３で構成されており、前記金属製屋根板２の下面には制振シート４が貼着されている。なお、この制振シート４は金属製屋根板２の下面の全面でなく、その一部に貼着するだけでもよい。
【００１１】
また、前記屋根合板３の上面には、透湿性シート５が貼着されている。なお、この透湿性シート５は、屋根合板３の結露を防止するためのものであるから、屋根合板３の上面の全面にわたって貼着されていることが好ましい。
【００１２】
図２において、６は外気取り入れ口、７は室内の床、８は接続ダクト、９はファン、１０は床下導入ダクトである。
【００１３】
空気流路１を構成する金属製屋根板２は鋼板、制振シート４は、ポリオレフィン等の熱可塑性樹脂と、ゴムまたは熱可塑性エラストマーに粒径１〜５０μｍの酸化鉄等の無機粉体を含有する組成物からなり、透湿性シート５は、ポリエチレン系繊維シートからなるものである。
【００１４】
本発明に係るソーラーシステム家屋の屋根構造において、空気流路１は、図３に示すように、制振シート４の下面にさらに発泡シートを積層した発泡層１１を形成した構成としてもよく、発泡層１１を形成することにより空気流路１の断熱効果が向上する。なお、その他の構成は図１の構成と同等である。
【００１５】
【発明の効果】
本発明によれば、屋根面に沿って形成される空気流路の下面をなす屋根合板の上面に透湿性シートを貼着することによって屋根合板面の結露を無くし、屋根の耐久性を向上させるとともに、空気流路の上面をなす金属製屋根板の下面に振動の伝播を抑制する制振シートを貼着することによって屋根面に生じる雨音等を遮断して室内に伝わるのを抑制することができるソーラーシステム家屋の屋根構造が得られるものである。
【図面の簡単な説明】
【図１】本発明の一実施の形態に係るソーラーシステム家屋の屋根構造を示す要部断面図である。
【図２】ソーラーシステム家屋の屋根構造の概要を示す断面図である。
【図３】本発明の他の実施の形態に係るソーラーシステム家屋の屋根構造を示す要部断面図である。
【図４】従来のソーラーシステム家屋の屋根構造を示す要部断面図である。
【符号の説明】
１  空気流路
２  金属製屋根板
３  屋根合板
４  制振シート
５  透湿性シート
６  外気取り入れ口
７  室内の床
８  接続ダクト
９  ファン
１０  床下導入ダクト
１１  発泡層
【図１】
2004332952.tif 000003
【図２】
2004332952.tif 000004
【図３】
2004332952.tif 000005
【図４】
2004332952.tif 000006